(57)【要約】【課題】  各種操業のために船首を風上に向けて停留させることが容易であり、さらに、航行及び接岸時に利用できる船舶停留等制御装置を提供する。【解決手段】  船底２の船首Ｆ方向に水吸入口３，３が開口され、船尾Ｒ方向には該船尾Ｒ方向に向けて放射状に分岐した水吐出口５，５が開口され、該水吐出口５，５と前記水吸入口３，３とが船底２上で連結管６により連結されるとともに該連結管６内に原動機７で駆動させられるインペラ８が設けられ、さらに該インペラ下流に前記放射状に分岐したそれぞれの水吐出口５，５への水吐出量を制御する水量変更板９を設けた船舶停留等制御装置。【選択図】  図３
2006290268.tif 000002
【特許請求の範囲】
【請求項１】
船底下面の船首方向に水吸入口が開口され、船尾方向に該船尾方向に向けて放射状に分岐した水吐出口が開口され、該水吐出口と前記水吸入口とが船底上で連結管により連結されるとともに該連結管内に原動機で駆動させられるインペラが設けられ、さらに前記インペラの下流に前記放射状に分岐したそれぞれの水吐出口への水吐出量を制御する水量制御板が設けられてなることを特徴とする船舶停留等制御装置。
【請求項２】
水吸入口及び放射状に分岐した水吐出口を船底中央部の両側に対称に配置したことを特徴とする請求項１に記載の船舶停留等制御装置。
【請求項３】
水吸入口を船首方向へ向けて放射状に分岐して開口させたことを特徴とする請求項１又は２に記載の船舶停留等制御装置。
【請求項４】
原動機が電動機であることを特徴とする請求項１、２又は３に記載の船舶停留等制御装置。
【発明の詳細な説明】
【技術分野】
【０００１】
本発明は、釣り船、その他の船舶を、各種操業等のために船首を風上に向けて停留させるが容易であり、その他、航行及び接岸に利用できる船舶停留等制御装置に関する。
【背景技術】
【０００２】
従来、例えば、各種操業のために船舶の船首を風上に向けて停留させる方法として、スパンカーと言われる帆を船尾等に設けて操作することが行われている（特許文献１、２）。その他、船首等に別に電動船外機を設ける方法、パラアンカーと言われるアンカーを水中に展開する方法、さらに船首部左右の水面下に設けられたバウスラスターを制御する方法等が行われている。
【０００３】
前記スパンカーを操作する方法は、操作にきわめて熟練を要し、操作時に船尾等に移動しなければならないという問題があり、前記船首等に別に電動船外機を設ける方法は、移動の度に跳ね上げなければならず、また、前記パラアンカーと言われるアンカーを水中に展開する方法は、その展開及び取り込みに極めて手数を要するという問題があり、さらに前記バウスラスターを制御する方法は、荒天時に空気を吸い込み制御が困難になり、また、横方向のみの移動で直進する動きは不可能であるという問題があった。
【特許文献１】特開２００３−２６０９５
【特許文献２】特開２００４−５８７１３
【発明の開示】
【発明が解決しようとする課題】
【０００４】
本発明は、各種操業等のために船首を風上に向けて停留させることが容易であり、さらに、航行及び接岸に利用できる船舶停留等制御装置を提供することを目的とする。
【課題を解決するための手段】
【０００５】
前記目的を達成するため、本発明の船舶停留等制御装置は、船底下面の船首方向に水吸入口が開口され、船尾方向に該船尾方向に向けて放射状に分岐した水吐出口が開口され、該水吐出口と前記水流出口とが船底上で連結管により連結されるとともに該連結管内に原動機で駆動させられるインペラが設けられ、さらに前記インペラの下流に前記放射状に分岐したそれぞれの水吐出口への水吐出量を制御する水量制御板が設けられてなることを特徴とする。
【０００６】
本発明の前記船舶停留等制御装置は、停留場所に到達したら、機関を止め、前記原動機により前記インペラを駆動し、前記水量制御板を操作して前記放射状に分岐したそれぞれの水吐出口への水吐出量を制御すればよい。
【０００７】
すなわち、前記水量制御板を操作して、前記放射状に分岐された水吐出口のうち、船首方向に向かって右側の水吐出口からの水吐出量を多くすると、船首（船体）を左方向に変更させることができる。
【０００８】
また、前記水量制御板を操作して、前記放射状に分岐した水吐出口のうち、船首方向に向かって左側の水吐出口からの水吐出量を多くすると、船首（船体）を右方向に変更することができる。
【０００９】
さらに、前記水量制御板を中央に固定して、放射状に分岐した両方の水吐出口からの水吐出量を均等にすると、船体を一定方向に前進維持することができ、また、前記原動機及び前記インペラを逆回転させると後進することができる。なお、前記放射状に分岐する水吐出口は、二股分岐のほか、二股以上の分岐であってもよい。
【００１０】
前記構成の本発明によれば、停留場所等では機関を止めて燃料代の削減が可能で経済的であり、さらに、機関音による魚への影響を避けることができる。また、機関を止めて航行に利用することも可能であり、さらに、接岸を容易に行うことができる。
【００１１】
請求項２の実施の一形態は、水吸入口及び放射状に分岐した水流出口を船底中央部の両側に対称に配置したことを特徴とする。すなわち、強度が必要とされるキール部を残して配置することにより、漂流物の接触、上架時の架台位置にも影響されることがないものである。
【００１２】
さらに、前記水吸入口と放射状に分岐した水吐出口に限らず、前記連結管、原動機、インペラ及び水量制御板も同様に船底中央部の両側に対象に配置される。この実施の一形態によれば、船体が左右均衡し、航行、停留及び接岸制御が容易である。もっとも、本発明は、船底中央部に設けることもできる。
【００１３】
請求項３の実施の一形態は、水吸入口を船首方向に向けて放射状に分岐して開口させたことを特徴とする。本発明では、水吐出口を放射状に分岐して設けることが必要であるが、水吸入口は必ずしも放射状に分岐させることを要しない。しかしながら前記水吐出口と同様に放射状に分岐させることにより、航行時、水吸入及び水吐出時における船体左右のバランスを有効に保つことができる。
【００１４】
請求項４の実施の一形態は、原動機を電動機としたことを特徴とする。前記原動機は船舶機関の動力を利用して稼動することも可能であるが、電動機とすることにより機関音による魚への影響を避けることができる。さらに、電動機は、航行中における船舶機関の動力、航行時の推力等を利用してバッテリ充電を行い、該バッテリを電源として稼動させることができるメリットを有する。その他、前記原動機は油圧モータ、補機であってもよい。
【発明を実施するための最良の形態】
【００１５】
以下、図面を参照して、本発明を実施するための最良の形態について説明する。図１は、本発明に係る船舶停留等制御装置を有する船の側面図、図２は、本発明の船舶停留等制御装置の側面図、図３は、本発明の船舶停留等制御装置の底面図である。
【００１６】
図中、１は、例えば、釣り船等の船体であり、船底２の船首Ｆ方向に水吸入口３、３が開口される。図面実施の一形態では、前記水吸入口３、３は二股放射状に分岐させられ、前記船底２の中央部の両側、すなわち、キール部４の両側に対称に開口されている。
【００１７】
さらに前記船底２の船尾Ｒ方向に、前記水吐出口３、３と同様に二股放射状に分岐させられた水吐出口５、５が、前記船尾Ｒ方向に向けて開口される。さらに、本発明では、前記水吐出口５、５と前記水吸入口３、３とが前記船底２上で連結管６によって連結される。
【００１８】
つぎに、前記連結管６内には、前記船底２上に設けた電動機７によって駆動させられるインペラ８が設けられる。さらに該インペラ８の下流の前記連結管６内には、前記二股放射状に分岐されたそれぞれの水吐出口５、５への水吐出量を制御する水量制御板９が設けられる。図中、１０は前記水量制御板９の操作杆である。
【００１９】
前記構成の本発明の船舶停留等制御装置は、船体１の前後中央部より船首Ｆ方向の船底２に設けることが好ましい。その結果、荒天時の船首方向の浮き上がり時にも空気の吸い込みが最大に避けられる。
【００２０】
また、前記水量制御板９を自動制御することも容易である。すなわち、風向を検出し、あるいはコンパス、衛星受信等で得られた信号により前記操作杆を自動制御すればよい。
【図面の簡単な説明】
【００２１】
【図１】本発明に係る船舶停留等制御装置を有する船の側面図である。
【図２】本発明の船舶停留等制御装置の側面図である。
【図３】本発明の船舶停留等制御装置の底面図である。
【符号の説明】
【００２２】
２    船底
３，３  水吸入口
５，５  水吐出口
６    連結管
７    電動機
８    インペラ
９    水量制御板
Ｆ    船首
Ｒ    船尾
【図１】
2006290268.tif 000003
【図２】
2006290268.tif 000004
【図３】
2006290268.tif 000005
【手続補正書】
【提出日】平成17年4月25日(2005.4.25)
【手続補正１】
【補正対象書類名】明細書
【補正対象項目名】００１５
【補正方法】変更
【補正の内容】
【００１５】
以下、図面を参照して、本発明を実施するための最良の形態について説明する。図１は、本発明に係る船舶停留等制御装置を有する船の側面図、図２は、本発明の船舶停留等制御装置の側面図、図３は、本発明の船舶停留等制御装置の底面図、図４は、他の実施例を示す船舶停留等制御装置の底面図である。
【手続補正２】
【補正対象書類名】明細書
【補正対象項目名】００１７
【補正方法】変更
【補正の内容】
【００１７】
さらに前記船底２の船尾Ｒ方向に、前記水吸入口３、３と同様に二股放射状に分岐させられた水吐出口５、５が、前記船尾Ｒ方向に向けて開口される。さらに、本発明では、前記水吐出口５、５と前記水吸入口３、３とが前記船底２上で連結管６によって連結される。
【手続補正３】
【補正対象書類名】明細書
【補正対象項目名】００１９
【補正方法】変更
【補正の内容】
【００１９】
前記構成の本発明の船舶停留等制御装置は、船体１の前後中央部より船首Ｆ方向の船底に２に設けることが好ましい。その結果、荒天時の船首方向の浮き上がり時にも空気の吸い込みが最大に避けられる。また、図４に示すように、本発明の装置を前後１８０°方向転換し、前記水吸入口３，３及び水吐出口５，５の形状を変更して設けると、前記水吸入口３，３が船体１の中央部に近づき、荒天時の船首Ｆの浮き上がり時にも空気の吸い込みが最大に避けられ、水吐出口５，５がより船首Ｆに位置するため、船首Ｆの方向変更に要する動力が最小になる。
【手続補正４】
【補正対象書類名】明細書
【補正対象項目名】００２１
【補正方法】変更
【補正の内容】
【００２１】
【図１】本発明に係る船舶停留等制御装置を有する船の側面図である。
【図２】本発明の船舶停留等制御装置の側面図である。
【図３】本発明の船舶停留等制御装置の底面図である。
【図４】他の実施例を示す船舶停留等制御装置の底面図である。
【手続補正５】
【補正対象書類名】図面
【補正対象項目名】図４
【補正方法】追加
【補正の内容】
【図４】
2006290268.tif 000006